(57)【特許請求の範囲】
【請求項１】
少なくとも一つの第１案内部（４ａ）を備えた基部（４）を備える収容構造（Ａ）と、
前記支持構造（Ｓ）に対して結合された収容構造（Ａ）であって、
前記基部（４）の前記第１案内部（４ａ）に対して摺動可能に結合された少なくとも一枚の第１側部パネル（５）を有する第１部分（Ａ′）と、
少なくとも一つの第１側壁（５３）により横方向にて境界決定されると共に、当該第２部分上にて前記第１部分（Ａ′）の前記少なくとも一枚の第１側部パネル（５）が摺動する第２部分（Ａ″）とを備える収容構造（Ａ）とを備える、移送用保育器（Ｉ）。
【請求項２】
前記基部（４）は、前記第１案内部（４ａ）に関して平行に配置された第２案内部（４ｂ）を備え、
前記第１部分（Ａ′）は、前記第１側部パネル（５）に対向すべく配置されて前記基部（４）の前記第２案内部（４ｂ）に対して摺動可能に結合された第２側部パネル（６）を備え、且つ、
前記第２部分（Ａ″）は、前記第１側壁（５３）に対向すべく配置された第２側壁（６３）であって、その上で前記第２側部パネル（６）の前記第１部分（Ａ′）が摺動する第２側壁（６３）により境界決定されることを特徴とする、請求項１に記載の保育器（Ｉ）。
【請求項３】
前記支持構造（Ｓ）は、第１縁部（１ａ）と第２縁部（１ｂ）とを備えるフレーム（１）であって、前記第１縁部（１ａ）及び前記第２縁部（１ｂ）上には締着ストラップの通過のための複数のＵ形状支持要素（１１ａ、１１ｂ、…、１１ｇ）が掛止されるフレーム（１）を備えることを特徴とする、請求項１〜２のいずれか一項に記載の保育器（Ｉ）。
【請求項４】
前記支持構造（Ｓ）は、前記フレーム（１）に対して結合され得るＵ字形状支持基部（２）であって、その上に前記基部（４）が固定される支持基部（２）を備えることを特徴とする、請求項３に記載の保育器（Ｉ）。
【請求項５】
前記基部（４）は、その側部表面上に、貫通スロット（４３）を有し、
前記支持基部（２）は、横方向に、前記基部（４）の前記貫通スロット（４３）上に重なり合わされた貫通スロット（２３）を有し、且つ、
それは、Ｘ線撮影シートの挿入及びその後の抜き取りのために前記第１部分（Ａ′）の内部から外部へと取外し可能なトレイ（Ｂ）を備えることを特徴とする、請求項４に記載の保育器（Ｉ）。
【請求項６】
前記基部（４）は、前記第１案内部（４ａ）に対して平行に並置して配置された第１支持フレーム（４０ｃ）と、前記第２案内部（４ｂ）に対して並置して平行に配置された第２支持フレーム（４０ｄ）とを備え、且つ、
前記第１部分（Ａ′）は、前記第１支持フレーム（４０ｃ）及び第２支持フレーム（４０ｄ）上を摺動する有孔基部（７）であって、該有孔基部（７）上には新生児を載置し得る有孔基部（７）を備えることを特徴とする、請求項２〜５のいずれか一項に記載の保育器（Ｉ）。
【請求項７】
前記第１部分（Ａ′）の前記第１側部パネル（５）は、開きハンドル（５１ａ）を備えた第１ポート孔（５１）と、開きハンドル（５２ａ）を備えた第２ポート孔（５２）とを備え、且つ、
前記第１部分（Ａ′）の前記第２側部パネル（６）は、開きハンドル（６１ａ）を備えた第１ポート孔（６１）と、開きハンドル（６２ａ）を備えた第２ポート孔（６２）とを備えることを特徴とする、請求項２〜６のいずれか一項に記載の保育器（Ｉ）。
【請求項８】
前記第１部分（Ａ′）は、頂部にて、前記第１側部パネル（５）及び第２側部パネル（６）に対して結合されたドーム（８）により境界決定されることを特徴とする、請求項２〜７のいずれか一項に記載の保育器（Ｉ）。
【請求項９】
前記ドーム（８）及び前記第１側部パネル（５）及び第２側部パネル（６）は、透明なプラスチック材料で作成されることを特徴とする、請求項８に記載の保育器（Ｉ）。
【請求項１０】
前記第２部分（Ａ″）は、頂部にて、前記第１側壁（５３）及び第２側壁（６３）に対して結合された頂部カバー（６５）により境界決定され、その内部には、前記第１部分（Ａ′）内に収容された前記新生児のバイタル・パラメータを表示するモニタ（６６）が一体化されることを特徴とする、請求項２〜９のいずれか一項に記載の保育器（Ｉ）。
【請求項１１】
前記モニタ（６６）は前記頂部カバー（６５）に対し、ヒンジ（６６′）により結合され、且つ、
前記モニタ（６６）は、それが前記頂部カバー（６５）のハウジング内に挿入された非作動位置から、前記ヒンジ（６６′）の回りを回動することにより、パラメータ表示位置まで移行することを特徴とする、請求項１０に記載の保育器（Ｉ）。
【発明の詳細な説明】
【技術分野】
【０００１】
本発明は、高リスクの幼児を移送するための保育器に関する。
【０００２】
更に詳細には、本発明は、出生地から新生児集中治療部門までの救急車、航空機、ヘリコプタなどによる移送の間における制御環境内に高リスクの幼児を収容かつ維持し得る移送用保育器に関する。
【背景技術】
【０００３】
出生地から病院の集中治療センターまでの病的又は未成熟な新生児の移送は、相当のリスクを伴うと共に、多くの場合、既に危険である新生児の状態を不可逆的に悪化さえさせ得ることは、長く知られて来た。
【０００４】
故に、温度及び湿度のレベルを調節すると共に、未成熟なもしくは早産の新生児が子宮内環境と同様の条件を享受することを許容する装置の使用が必要である。
【０００５】
現在、公知の移送用保育器は、温度、湿度の両方、及び、他の環境パラメータを調節すること、及び、肺換気、酸素供給のための他の生命維持機器と、新生児移送のための機能的確認のための関連機器テスタとを組み合わせることを許容している。
【０００６】
しかしながら、公知の移送用保育器においては、早産児に関する視覚的な監視及び医学的介入に対するアクセスは、システムの構造により制限されているので、困難なことが多い。
【０００７】
これに加え、出生地から画像診断室まで、又は、新生児集中治療室から画像診断室まで早産児及び／又は幼児を移送するためには、新生児が、保育器から、磁気共鳴撮像ＭＲＩの装置、又は、コンピュータ体軸断層撮影ＣＴの装置などの如き特定のサーモグラフィック機器のデッキチェア上へと移動されることが必要であり、これにより、相当の温度変化、及び、支援監視の中断が引き起こされる。
【発明の概要】
【発明が解決しようとする課題】
【０００８】
故に、前記に鑑みると、本発明の目的は、取扱いが容易であると共に、救急車、航空機、救急ヘリコプタなどの如き移送手段に適合することで迅速な介入を許容する軽量な移送用保育器を提供することである。
【０００９】
本発明の更なる目的は、出生地から新生児集中治療部門までの早産の新生児の移送から生ずるリスクを回避して、集中治療及び蘇生の迅速な開始を許容し、且つ、診断及び／又は治療段階の間において十分に安全な新生児の移送を許容することである。
【００１０】
本発明の別の目的は、保育器内での載置の間における患者に対する視覚的及び手動的の両方に関する更に良好なアクセス性を許容することである。
【課題を解決するための手段】
【００１１】
故に、本発明の特定の目的物は、少なくとも一つの第１案内部を備えた基部を備える支持構造と、前記支持構造に対して結合された収容構造であって、前記基部の前記第１案内部に対して摺動可能に結合された少なくとも一枚の第１側部パネルを有する第１部分、及び、少なくとも一つの第１側壁により横方向にて境界決定されると共に、当該第２部分上にて前記第１部分の前記少なくとも一枚の第１パネルが摺動する第２部分、を備える収容構造と、を備える、移送用保育器である。
【００１２】
更に、本発明に依れば、前記基部は、前記第１案内部に関して平行に配置された第２案内部を備え、前記第１部分は、前記第１側部パネルに対向すべく配置されて前記基部の前記第２案内部に対して摺動可能に結合された第２側部パネルを備え、且つ、前記第２部分は、前記第１側壁に対向すべく配置された第２側壁であって、その上で前記第２パネルの前記第１部分が摺動する第２側壁により境界決定される。
【００１３】
更に、前記支持構造は、第１縁部と第２縁部とを備えるフレームであって、自身上には締着ストラップの通過のための複数のＵ形状支持要素が掛止されるフレームを備える。
【００１４】
好適には、本発明に依れば、前記支持構造は、前記フレームに対して結合され得るＵ字形状支持基部であって、その上に前記基部が固定される支持基部を備える。
【００１５】
更に、本発明に依れば、前記基部は、その側部表面上に、貫通スロットを有し、前記支持基部は、横方向に、前記基部の前記貫通スロット上に重なり合わされた貫通スロットを有し、且つ、それは、Ｘ線撮影シートの挿入及び次続的な抜き取りのために前記第１部分の内部から外部へと取外し可能なトレイを備える。
【００１６】
更に、本発明に依れば、前記基部は、前記第１案内部に対して平行に並置して配置された第１支持フレームと、前記第２案内部に対して並置して平行に配置された第２支持フレームとを備え、且つ、前記第１部分は、前記第１支持フレーム及び第２支持フレーム上を摺動する有孔基部であって、該有孔基部上には新生児が着座し得る有孔基部を備える。
【００１７】
好適には、本発明に依れば、前記第１部分の前記第１側部パネルは、開きハンドルを備えた第１ポート孔と、開きハンドルを備えた第２ポート孔とを備え、且つ、前記第１部分の前記第２側部パネルは、開きハンドルを備えた第１ポート孔と、開きハンドルを備えた第２ポート孔とを備える。
【００１８】
更に、本発明に依れば、前記第１部分は、頂部にて、前記第１パネル及び第２パネルに対して結合されたドームにより境界決定される。
【００１９】
更に、本発明に依れば、前記ドーム及び前記第１パネル及び第２パネルは、透明なプラスチック材料で作成される。
【００２０】
好適には、本発明に依れば、前記第２部分は、頂部にて、前記第１側壁及び第２側壁に対して結合された頂部カバーにより境界決定され、その内部には、前記第１部分内に収容された前記新生児のバイタル・パラメータを表示するモニタが一体化される。
【００２１】
更に、本発明に依れば、前記モニタは前記頂部カバーに対し、ヒンジにより結合され、且つ、前記モニタは、それが前記頂部カバーのハウジング内に挿入された非作動位置から、前記ヒンジの回りを回動することにより、パラメータ表示位置まで移行する。
【００２２】
本発明は次に、添付図面の各図を特に参照し、その好適実施例に従い、限定目的では無く例示目的で記述される。
【図面の簡単な説明】
【００２３】
【図１】本発明の目的物である保育器の閉じ形態における斜視図である。
【図２】図１の保育器の開き形態における斜視図である。
【図３】図１の保育器の上側部分の各構成要素の分解図である。
【図４】図１の保育器の下側部分の各構成要素の分解図である。
【発明を実施するための形態】
【００２４】
種々の図において、同様の部材は同一の参照番号により表される。
【００２５】
添付図面を参照すると、参照記号Ｉを以て参照される本発明の目的物である保育器は、プラスチック材料で作成された支持構造Ｓであって、折畳み運搬車、院内移送用ベッド、脊椎担架など、及び、高リスク幼児の収容構造の如き緊急移送に対して使用される任意の形式の媒体に対して貫通ベルトにより固定されるべく成形された支持構造Ｓを備える。
【００２６】
支持構造Ｓは、複数のＵ形状支持要素１１ａ、１１ｂ、…、１１ｇが掛止される第１縁部１ａ及び第２縁部１ｂを備えるフレーム１を備える。
【００２７】
第１縁部１ａ及び第２縁部１ｂは、各図中には示されない貫通ベルトの貫通を許容することで、前記移送ベッド、脊椎担架などに対して保育器Ｉを堅固に係止する。
【００２８】
支持構造Ｓは、特に複数の支持要素１１ａ、１１ｂ、…、１１ｇによりフレーム１に対して結合されるＵ字形状支持基部２を備える。
【００２９】
支持基部２は、その側部表面上に、以下に詳細に記述されるノブを収容する第１孔２１及び第２孔２２と、以下に詳細に記述される貫通スロット２３とを有する。
【００３０】
支持構造Ｓはまた、支持基部２が結合されてその上に収容構造Ａが支持される格子体３も含む。
【００３１】
収容構造Ａは、担持構造Ｓと結合される基部４を備える。
【００３２】
収容構造Ａの基部４上には、以下に詳細に記述されるパネルの摺動のための第１案内部４ａ及び第２案内部４ｂが固定される。
【００３３】
特に、基部４は、その側部表面上に、第１ピン４１、第２ピン４２、及び、貫通スロット４３を有する。
【００３４】
収容構造Ａと支持構造Ｓとの間における結合の間、第１ピン４１は支持基部２の第１孔２１内に挿入され且つ第１ノブ４１１により固定化され、第２ピン４２は支持基部２の第２孔２２内に挿入され且つ第２ノブ４２１により固定化され、且つ、支持基部２の貫通スロット２３は、基部４の貫通スロット４３と重なり合う。
【００３５】
第１ノブ４１１及び第２ノブ４２１は、幼児が横たわるベッドの揚動システムを起動すべく使用される。
【００３６】
特に、前記揚動システムは、第１ピン４１に接続された第１管材４０ａと、第２ピン４２に接続された第２管材４０ｂと、基部４上に載置されると共に第１案内部４ａと並置された第１支持フレーム４０ｃと、基部４上に載置されると共に第２案内部４ｂと並置された第２支持フレーム４０ｄとを備える。
【００３７】
第１支持フレーム４０ｃ及び第２支持フレーム４０ｄ上には、後述されるベッドが載置される。
【００３８】
収容構造Ａは、第１部分Ａ′及び第２部分Ａ″を備える。
【００３９】
第１部分Ａ′は、両方ともに透明材料で作成されると共に、基部４の第１案内部４ａ及び第２案内部４ｂに対して夫々摺動可能に結合された第１側部パネル５及び第２側部パネル６を備える。第１側部パネル５は、第１部分Ａ′の内部に対する外部からの医療スタッフの手のアクセスを許容する第１ポート孔５１及び第２ポート孔５２を備えている。第１ポート孔５１は開きハンドル５１ａを備え、且つ、第２ポート孔５２は開きハンドル５２ａを備える。
【００４０】
第１部分Ａ′は更に、第１側部パネル５に対向すべく配置されて基部４の第２案内部４ｂに対して摺動的に結合された透明材料製の第２側部パネル６を備える。
【００４１】
第２側部パネル６は、第１部分Ａ′の内部に対する外部からの医療スタッフの手のアクセスを許容する第１ポート孔６１及び第２ポート孔６２を備えている。第１ポート孔６１は開きハンドル６１ａを備え、且つ、第２ポート孔６２は開きハンドル６２ａを備える。
【００４２】
第１部分Ａ′は、第１支持フレーム４０ｃ及び第２支持フレーム４０ｄに対して摺動的に結合されて自身上に新生児が載置される有孔基部もしくはベッド７と、基部４のスロット４３及び支持基部２３のスロット２３を貫通して該第１部分Ａ′の内部から外部まで摺動するトレイＢとを含む。
【００４３】
トレイＢは、第１部分Ａ′内に幼児が収容されている間に、それに対するＸ線検査を実施するためにＸ線撮影シートを収納すべく適合化される。
【００４４】
第１部分Ａ′は更に、該部分Ａ′の完全な視認性を許容すると共に、該部分Ａ′の内部環境に関する有効な熱及び音響の保護バリヤとして作用する二重壁透明ドーム８を備える。
【００４５】
ドーム８は、その各端部にて、第１側部パネル５及び第２側部パネル６が夫々、当該案内部材上を摺動する第１案内部８ａ及び第２案内部８ｂを有する。
【００４６】
部分Ａ′は、前部にては前扉９により、且つ、後部にては後扉１０により閉じられる。
【００４７】
前扉９は、ドーム８に対して結合されたフレーム９１と、当該フラップ扉９２を開閉するためにフレーム９１に対してピン９４により固定された透明材料製のフラップ扉９２とを備える。
【００４８】
フラップ扉９２上には、ケーブル及び／又は管材の通過のためのゴム引きスロット９３が配備される。
【００４９】
後扉１０は、酸素ボンベ、及び、保育器Ｉの電源のためのケーブルの通過のための複数の開口１０ａ、１０ｂ、…、１０ｄを有する。第２部分Ａ″は、第１案内部４ａと結合されると共に自身上で第１部分Ａ′の第１パネル５が摺動する第１側壁５３と、第２案内部４ｂと結合されると共に自身上で第１部分Ａ′が摺動する第２側壁６３と、第１側壁５３及び第２側壁６３に対して固定され、自身内にてはハウジング内にモニタ６６が一体化される頂部カバー６５とにより、境界決定される。
【００５０】
モニタ６６は、保育器Ｉ内に収容された新生児のバイタル・パラメータを示すと共に、該モニタは、それが頂部カバー６５内に挿入された非作動位置から、ヒンジ６６′の回りで回動することによるパラメータ表示位置へと移行する。
【００５１】
モニタ６６は、第１側部パネル５に向け、又は、第２側部パネル６に向け、側方にも回動され得る。
【００５２】
第２部分Ａ″は、後部にては扉１０１により閉じられ、該扉上には、ケーブル及び医療計測器の通過のための第１開口１０１ａ及び第２開口１０１ｂが配備される。
【００５３】
第２部分Ａ″の全ての構成要素は、断層撮影装置との適合性を確実とすべく、プラスチック材料で作成される。
【００５４】
作動時において、リスクのある新生児が保育器Ｉにより移送されるべきとき、操作者は、ピン９４を回動することによりフラップ扉９２を開き、第１閉じ部分Ａ′から有孔基部７を引出し、且つ、そこにリスクのある新生児を載置する。
【００５５】
有孔基部７は次に、第１閉じ部分Ａ′の内部へと格納されると共に、フラップ扉９２が閉じられる。
【００５６】
保育器Ｉは次に、支持構造Ｓを脊椎担架上に着座させ、且つ、保育器Ｉを、第１縁部１ａ及び第２縁部１ｂを貫通して延在するストラップにより脊椎担架に対して固定することで、脊椎担架の如き移送手段に対して固着される。
【００５７】
医療スタッフは、モニタ６６により、新生児のバイタル・パラメータを視認する。
【００５８】
幼児に対する直接的な介入が必要とされたとき、医療スタッフは、第１側部パネル５の第１ポート孔５１及び第２ポート孔５２を通し、且つ／又は、第２側部パネル６の第１ポート孔６１及び第２ポート孔６２を通し、第１閉じ部分Ａ′の内部へと、手及び腕を挿入し得る。
【００５９】
Ｘ線又は断層撮影検査の場合、操作者は、トレイＢの引き出しへと進展してＸ線撮影プレートを収容すると共に、該トレイＢを、支持基部２の貫通スロット２３及び基部４の貫通スロット４３を通して格納する。
【００６０】
幼児に対して直接的にアクセスすることが必要な場合、第１パネル５を第２部分Ａ″の第１側壁５３の第１案内部４ａに沿って摺動させ、且つ／又は、第２パネル６を第２部分Ａ″の第２側壁６３上で第２案内部４ｂに沿って摺動させることにより、第１部分Ａ′を開くことが可能である。
【００６１】
前記説明から明らかである如く、前記保育器は、伸張可能な構成の採用により、診断画像用断層撮影装置に対して適合的に使用され得る。
【００６２】
これに加え、長さ及び幅の両方において制限された寸法によれば、緊急移送と、画像診断デバイス内への挿入との両方に適合化されたデバイス上での移送性が確実とされる。
【００６３】
本発明は、その好適実施例に従い、限定目的では無く例示目的で記述されてきたが、当業者によれば、添付の各請求項において定義された適切な有効範囲から逸脱せずに改変及び／又は変更が導入され得ることは理解されるべきである。
【図１】
0006751110.tif 000002
【図２】
0006751110.tif 000003
【図３】
0006751110.tif 000004
【図４】
0006751110.tif 000005